(57)【特許請求の範囲】
【請求項１】
音響装置が帽子に組み込まれて一体化された帽子一体型音響装置であって、
前記帽子は、その上面の一部に透明部材からなる窓を有するつば部とキャップ部と耳あて部と汗止め部とを備え、
前記音響装置は、
前記つば部の中央付近に組み込まれている、音を再生し得る着脱可能なユニット装置と、
前記再生された音を出力する、前記帽子をかぶった人の耳に直接接触しない位置となるように前記耳あて部に組み込まれているスピーカと、
前記ユニット装置と前記スピーカとを電気的に接続する、前記汗止め部の内側に敷設されたケーブルとを備え、
前記ユニット装置は、
記録媒体に記憶されているデータを音源として音を再生する音声再生部と、
前記窓を介して受光することにより前記音声再生部に電源を供給する太陽電池を有する電源供給部と、
前記音声再生部を制御するためにユーザからの操作を受け付ける操作受付部とを備える
ことを特徴とする帽子一体型音響装置。
【請求項２】
前記ユニット装置の前記音声再生部は、さらに、
電波を受信し、当該受信した電波を復調して音を再生する
ことを特徴とする請求項１記載の帽子一体型音響装置。
【発明の詳細な説明】
【０００１】
【発明の属する技術分野】
本発明は、オーディオプレーヤ等の音響装置が帽子に組み込まれて一体化された物（帽子一体型音響装置）に関する。
【０００２】
【従来の技術】
帽子やサンバイザ（以下、単に「帽子」と呼ぶ。）をかぶってゴルフや釣り等をしている時に、音楽を聴きたくなる場合がある。このような場合に使用できる携帯型の音響装置の一例として、メモリカードを用いたヘッドフォン一体型のオーディオプレーヤがある。
【０００３】
【発明が解決しようとする課題】
しかしながら、上記のようなオーディオプレーヤには次のような問題点がある。つまり、帽子をかぶった状態で、その上からヘッドフォンを重ねて装着した場合には、ヘッドフォンの位置がずれてしまったり、耳にヘッドフォンが正しくフィットできなかったりする。逆に、ヘッドフォンをつけた状態で、その上から帽子をかぶった場合には、帽子によってヘッドフォンが強く締め付けられ、耳や頭が痛くなる。さらに、メモリカードの交換をする場合には、ヘッドフォンだけでなく、帽子までも脱がなければならず、たんへん煩わしい。
【０００４】
そこで、本発明は、かかる問題点に鑑みてなされたものであり、ヘッドフォンがずれたり、耳や頭が圧迫されることなく、帽子をかぶったまま長時間にわたって音楽等を聞いて楽しむことができる帽子一体型音響装置を提供することを目的とする。
【０００５】
【課題を解決するための手段】
上記目的を達成するために、本発明は、音響装置が帽子に組み込まれて一体化された物、即ち、帽子一体型音響装置としている。
【０００６】
具体的には、帽子のつば部の一部に、太陽電池を備える音声再生部を一体化させて組み込み、帽子の耳宛部にスピーカを一体化させて組み込む。そして、音声再生部と左右のスピーカとを接続するケーブルは、帽子のキャップ部の内側の汗止めに埋設させて敷設している。
【０００７】
【発明の実施の形態】
以下、本発明の実施の形態について図面を用いて説明する。
（第１の実施の形態）
【０００８】
（１）発明全体の外観
図１は、第１の実施の形態に係る帽子一体型音響装置１０の外観を示す図である。本装置１０は、帽子に音響装置が組み込まれて一体化された物であり、大きく分けて、帽子部分と音響装置部分とから成る。帽子部分は、主につば部１１、キャップ部１２及び耳宛部１３からなる。音響装置部分は、携帯型オーディオプレーヤに相当する電子機器であり、音声再生部２０と、拡声のためのスピーカ３０ａ、３０ｂ及びそれらを接続するケーブル４０ａ、４０ｂとからなる。
【０００９】
音声再生部２０は、音楽等を再生する本体部であり、例えばメモリカードリーダと太陽電池と二次電池とスイッチ類（図１には示されていない）とを１つにまとめたユニット等からなり、つば部１１の一部に装着される。つば部１１は、音声再生部２０を格納するための空間である収納部（図１には示されていない）を有し、さらにその収納部の上方の位置に、音声再生部２０が有する太陽電池に光が届くようにするためのプラスチック等の透明な窓を有している。
【００１０】
スピーカ３０ａ、３０ｂは、耳宛部１３の内部に装着され、ケーブル４０ａ、４０ｂを介して、音声再生部２０に接続される。ケーブル４０ａ、４０ｂは、キャップ部１２の内側に汗止め（滑り）１４として折り曲げられている帯状の布の内側に埋設して格納される。
【００１１】
なお、両側の耳宛部１３は、スピーカ３０ａ、３０ｂが人の耳を圧迫しないような位置に設けられている。つまり、この装置１０が予定しているサイズ（帽子のサイズ）に合った頭を持つ人がこの装置１０をかぶった場合に、スピーカ３０ａ、３０ｂは、その人の耳に直接接触するのではなく、耳から１〜２ｍｍ程離れた位置に設置される。これは、耳への圧迫を開放することにより、長時間の着帽を可能にすると共に、外界からの音を遮断しないことにより、着帽時（歩行時）の安全を確保するためである。また、音場をより豊かに再生するという効果も発揮される。
【００１２】
（２）各部品の相互関係
図２は、図１の帽子一体型音響装置１０に装着される各部品の相互関係を示す図である。図２は、本装置１０のつば部１１を真上から見た図である。図２において、つば部１１以外のキャップ部１２、耳宛部１３及び汗止め１４は、便宜上省略している。
【００１３】
つば部１１の特徴は、音声再生部２０を格納するための収納部１５を有している点である。この収納部１５は、つば部１１の下面に形成された（下方に向かって開放された）凹状の空間であり、この収納部１５を囲っている両側面には、音声再生部２０を固定するための凸部１６ａ、１６ｂが設けられている。さらに、この収納部１５の上面に相当するつば部１１の一部には、透明なプラスチック等からなる窓１７が設けられ、通過した太陽光が太陽電池２１に当たる構造となっている。
【００１４】
音声再生部２０の外側には、凹部２２ａ、２２ｂが設けられ、前記収納部１５の凸部１６ａ、１６ｂと噛み合うことで、音声再生部２０が落下したり移動したりすることを防いでいる。
【００１５】
ケーブル４０ａ、４０ｂの先端には、スピーカ３０ａ、３０ｂに接続したり取り外したりするためのプラグ４１ａ、４１ｂが圧着等されている。
スピーカ３０ａ、３０ｂは、プラグ４１ａ、４１ｂを介して音声再生部２０に接続される。
なお、図２において、一点鎖線ＸＸ’は、音声再生部２０の中心線である。
【００１６】
（３）音声再生部の構造
次に、図１における音声再生部２０の構造について説明する。
図３は、音声再生部２０を図２の一点鎖線ＸＸ’に沿って切断した場合の断面図である。
【００１７】
音声再生部２０は、太陽電池２１、二次電池等の充電回路基板２２、メモリカードリーダ部２７、制御用マイコン２３、スイッチ類５３及び５５を有し、各部は導線２８等によって接続されている。この音声再生部２０の厚さは、数ｍｍである。
【００１８】
メモリカード２９には、ＭＰ３等の形式で圧縮された音楽データが格納され、メモリカード２９がメモリカードリーダ部２７に挿入された状態で、それら音楽データは、メモリカードリーダ部２７によって読み出される。読み出された音楽データは、制御用マイコン２３等において、伸張、デコード、Ａ／Ｄ変換、増幅等され、音楽として再生されてスピーカ３０ａ、３０ｂに送られる。
【００１９】
（４）スイッチ類
図４は、図３におけるつば部１１の裏側に設けられているスイッチ類を示す図である。スイッチ類としては、電源スイッチ５１、音量ダウンスイッチ（Ｖｏｌ．−）５２、音量アップスイッチ（Ｖｏｌ．＋）５３、巻き戻しスイッチ（＜＜）５４、再生スイッチ（＞）５５、早送りスイッチ（＞＞）５６などがある。これらのスイッチ類は、ユーザの人差し指５９などによって操作され得る大きさのボタン等である。
【００２０】
（５）ケーブルの格納
図５は、帽子一体型音響装置１０の汗止め１４の内側に格納されるケーブル４０ａ、４０ｂを示す図である。図５は、通常使用時は内側に折られている汗止め１４を下に開いた場合であり、ケーブルが格納されている様子を示している。ケーブル４０ａ、４０ｂは、音声再生部２０を基点として、つば部１１とキャップ部１２との境界にある汗止め１４の内側を沿うように左スピーカ３０ａ又は右スピーカ３０ｂまで引き回され、最終的には、左スピーカ３０ａ又は右スピーカ３０ｂのプラグ３２ａ又は３２ｂに接続される。
【００２１】
以上のように、本実施の形態に係る帽子一体型音響装置は、一般的に着用される帽子と、形状や重量等をほとんど同じ状態に保持し、音声再生部をつばの中に格納し、スピーカやケーブルを帽子の構造を利用して巧妙に格納することとしたので、ヘッドフォンやケーブルで煩わしさを感じることなく、帽子をかぶった状態で長時間にわたって音楽を聞くことができる。
【００２２】
また、この帽子一体型音響装置は、音響装置部分を帽子部分から取り外して分離することができる構造となっているので、帽子部分だけを洗濯したり、帽子部分又は音響装置部分を他のものと交換して新たに組み合わせたりすることができる。
【００２３】
（第２の実施の形態）
次に、第２の実施の形態として、サンバイザにラジオ受信機や小型電池等を一体で組み込んだサンバイザ一体型音響装置１１０を説明する。第２の実施の形態は、スピーカを有する点で第１の実施の形態と共通するが、ラジオを音声再生部に用いている点及びリモコンを用いている点で第１の実施の形態と異なる。
【００２４】
図６は、本実施の形態のサンバイザ一体型音響装置１１０の概要を示す図である。なお、ここでは、サンバイザに相当する部分は破線で示され、音響装置に相当する部分が実線で示されている。
【００２５】
サンバイザ一体型音響装置１１０は、ラジオとして機能する音声再生部１２０と、その音声再生部１２０に対して赤外線で操作指示を送信するリモコン１３０とから構成される。
【００２６】
音声再生部１２０は、内部にＲＡＭ内臓ラジオ受信機１２１、小型電池１２２（例えば、携帯電話等に使用されるリチウム電池など）、赤外線受光部１２３及びアンテナ１２４を備え、リモコン１３０からの信号に従って、ＢＳ１５０からの衛星放送とＡＭ／ＦＭ地上波との切替、受信波の復調、音声の再生等を行うとともに、再生した音楽をユーザの指示に従って内部のＲＡＭ１２１に記録（録音）したりする。
【００２７】
リモコン１３０は、掌上で操作し得る小型のリモコンであり、電源スイッチ１３１、チューニング状態等を表示する表示装置１３２、チャンネル切替スイッチ（ＣＨ）１３３、チューニングダイヤル１３４、音量ダウンスイッチ（ｖｏｌ．−）１３５、音量アップスイッチ（ｖｏｌ．＋）１３６、多機能スイッチ１３７、赤外線発光部１３８等を有する。
【００２８】
多機能スイッチ１３７は、ＲＡＭ１２１にラジオ番組や音楽等を録音・再生するのに使用するスイッチである。具体的には、この多機能スイッチ１３７は、中央の円とその周囲の円の２つの可動部を有しており、周囲の円の可動部は機能モードの選択に使用し、中央の円の可動部は、機能の確定や実行の指示に使用する。
【００２９】
以上のように、本実施の形態に係るサンバイザ一体型音響装置は、小型軽量のＲＡＭ内蔵ラジオをつばの中に格納し、サンバイザの構造を利用してスピーカやケーブル等が外から見えない個所に埋め込まれている。そして、この音響装置に対する操作は、小型リモコンによって可能である。しがって、ヘッドフォンやケーブル等で煩わしさを感じることなく、サンバイザをかぶった状態でラジオ放送を聞いたり、チャネル切替等の操作をすることができる。
【００３０】
以上、本発明に係るポータブル音響装置について、第１及び第２の実施の形態に基づいて説明したが、本発明はこれらの実施形態に限られないことは勿論である。
【００３１】
例えば、第１の実施の形態では、太陽電池を帽子のつばの中の音声再生部の一部として構成したが、このような構造に限られず、太陽電池を帽子のキャップ部の頂上付近に固定する構造としてもよい。
【００３２】
また、音声再生部等の電子回路についても、帽子のつばの中ではなく、キャップ部の周縁部や前面部の内部等に組み込んでもよい。
【００３３】
さらに、本発明に係る音響装置は、帽子だけでなく、ヘルメットに組み込んで一体化させることもできる。
【００３４】
【発明の効果】
以上の説明から明らかなように、本発明に係る帽子一体型音響装置は、音響装置が帽子に組み込まれて一体化されていることを特徴とする。これによって、帽子をかぶることと音楽等を聴くためにヘッドフォンを頭につけることとが融合され、１つの物を頭に装着するだけで済む。つまり、異なる２種類の物を頭にかぶることによる不具合、即ち、ヘッドフォンがずれたり、耳や頭が圧迫されるということ不具合が解消され、帽子をかぶったまま長時間にわたって音楽等を聞いて楽しむことができる。
【００３５】
ここで、前記帽子は、耳宛部を有し、前記音響装置は、電波又は記録媒体を音源として音を再生する再生手段と、再生された音を出力するスピーカとを備え、前記スピーカは、前記耳宛部に組み込まれているとすることもできる。これによって、帽子の耳宛とスピーカとが一体化され、帽子全体がヘッドフォンとして機能し、全体として帽子の形状を維持した帽子一体型音響装置が実現される。
【００３６】
また、前記帽子は、つば部と、キャップ部と、耳宛部とからなり、前記再生手段は、前記つば部に組み込まれ、前記再生手段と前記スピーカとは、前記キャップ部の内側に設けられた汗止め部に埋設されたケーブルによって電気的に接続されていてもよい。これによって、帽子のつば部や汗止め部の構造や位置をうまく利用し、音響装置が帽子に効率よく一体化される。
【００３７】
また、前記音響装置は、さらに、駆動電源としての太陽電池を備え、前記太陽電池は、前記つば部又はキャップ部に配設されてもよい。さらに、前記つば部は、その上面の一部に透明部材からなる窓が設けられ、前記太陽電池は、前記窓の直下に固定してもよい。これによって、帽子は太陽光を受け易い人体部位に装着されるという特性や、帽子のつば部は太陽光を受け易い角度に保持されるという特性をうまく利用した、電池が不要の音響装置が実現される。
【００３８】
また、前記スピーカは、当該帽子を着帽した人の耳に直接接触しない位置となるように、前記耳宛部に組み込まれているとしてもよい。これによって、スピーカが耳を圧迫することを回避すると共に、外界の音を遮断してしまうことによる危険性（この装置をかぶったまま外の道を歩くときに車の音等を遮断してしまうことによる危険性）等を回避することができる。
【図面の簡単な説明】
【図１】第１の実施の形態に係る帽子一体型音響装置の外観図である。
【図２】帽子一体型音響装置に装着される各部品の相互関係を示す図である。
【図３】音声再生部の一例のメモリカードリーダユニットの断面図である。
【図４】つば部の裏側に設けられているスイッチ類を示す図である。
【図５】帽子一体型音響装置のキャップ部と汗止めの間に格納されるケーブルの様子を示す図である。
【図６】第２の実施の形態に係るサンバイザ一体型音響装置の概要を示す図である。
【符号の説明】
１０              帽子一体型音響装置
２０、１２０      音声再生部
２１              太陽電池
３０ａ、３０ｂ    スピーカ
４０ａ、４０ｂ    ケーブル
１１０              サンバイザ一体型音響装置
１２１              ＲＡＭ内蔵ラジオ受信機
１２２              小型電池
１２３              赤外線受光部
１２４              アンテナ
１３０              リモコン
１５０              ＢＳ
【図１】
0003558995.tif 000002
【図２】
0003558995.tif 000003
【図３】
0003558995.tif 000004
【図４】
0003558995.tif 000005
【図５】
0003558995.tif 000006
【図６】
0003558995.tif 000007